(57)【要約】      （修正有）【課題】設置場所をとらず、多数のケーブルを接続した場合でも安定している通信機器を提供する。【解決手段】筐体本体２の底面にスタンド１０が取り付けられる。筐体本体２の底面には複数のコネクタが設けられている。コネクタに接続されたケーブル４は、スタンド１０の内部の溝部に着地しそののち、背面に形成されている開口部３から束ねて引き出される。ケーブル４を下向きに接続し、背面から束ねて引き出すようにしたことにより、ケーブル４が空中を引き回されることがなく、通信機器を転倒させてしまうことがない。また、背面から束ねて引き出すようにしたことにより、床面などの設置場所が煩雑にならない。【選択図】図１
2005039190.tif 000002
【特許請求の範囲】
【請求項１】
筐体の底面に設けられた複数のケーブルコネクタと、
前記筐体の底面に着脱自在に取り付けられ、前記複数のケーブルコネクタに接続されたケーブルを背面方向に束ねて引き出すための開口部を有するスタンドと、
を備えたことを特徴とする通信機器。
【請求項２】
前記スタンドを半透明樹脂で構成するとともに、前記ケーブルコネクタのコネクタ名を前記筐体の側面に印字したことを特徴とする請求項１に記載の通信機器。
【発明の詳細な説明】
【技術分野】
【０００１】
この発明は、ルータ等の小型の通信機器に関し、特には通信機器にケーブルを接続したときの安定性の改良に関する。
【背景技術】
【０００２】
一般的にルータ、ハブ、モデムなどの通信機器には多数の通信ケーブルが接続されるが、このような通信機器は省スペースのために小型で且つ縦型のものが多い（たとえば特許文献１）。
【特許文献１】意匠登録第１０９６３８０号公報
【発明の開示】
【発明が解決しようとする課題】
【０００３】
ところで、通信機器に接続されるケーブルは、ＬＡＮ用のツイスティッド・ペアケーブルやＩＳＤＮ・アナログ電話用の４極モジュラケーブルなど太く重量のあるケーブルが多い。
【０００４】
上記縦型の通信機器の場合、ケーブルコネクタは、筐体の背面に設けられていたため、コネクタに接続されたケーブルは、背面方向に長く空中に引き回されるため、ケーブルの重量が通信機器に背面方向に掛かってしまい、そのために通信機器のバランスが崩れて転倒してしまったり、転倒しないまでもその重量に引っ張られて移動してしまうという問題点があった。
【０００５】
また、通信機器を横置きにすることも考えられるが、よこ置きの場合には、機器本体の設置面積が広くなるうえに、複数のケーブルが横に広がって引き回されるため、場所をとってしまうという問題点があった。
【０００６】
この発明は、設置場所をとらず、多数のケーブルを接続した場合でも安定している通信機器を提供することを目的とする。
【課題を解決するための手段】
【０００７】
この発明は筐体の底面に設けられた複数のケーブルコネクタと、前記筐体の底面に着脱自在に取り付けられ、前記複数のケーブルコネクタに接続されたケーブルを背面方向に束ねて引き出すための開口部を有するスタンドと、を備えたことを特徴とする。
【０００８】
また、この発明は、前記スタンドを半透明樹脂で構成するとともに、前記ケーブルコネクタのコネクタ名を前記筐体の側面に印字したことを特徴とする。
【発明の効果】
【０００９】
上記構成により、この発明によれば、筐体の底面にケーブルコネクタ（以下、単にコネクタと呼ぶ）を設けることにより、ケーブルは下向きに接続される。これにより、コネクタに接続されたケーブルはすぐに着地して空中を引き回される距離が短くなるとともに、筐体を横方向に引っ張ることがないため、通信機器を転倒させることがない。
【００１０】
また、スタンドに複数のケーブルを背面方向に束ねて引き出すための開口部を設けたことにより、複数のコネクタに複数のケーブルが接続されている場合でも背面方向に束ねて引き出すことができ、床面にケーブルが広がらない。
【００１１】
また、コネクタを下向きに設け、スタンド内に収納したことにより、ホコリが堆積したり内部に虫が侵入することを防止することができる。
【００１２】
さらに、この発明によれば、スタンドを半透明樹脂で構成したことにより、上記のようにコネクタをスタンド内に設けた場合にも、どのコネクタにケーブルが接続されているかを確認することができ、且つ半透明であるため美観を損なわない。
【００１３】
また、この発明によれば、筐体の側面に各コネクタのコネクタ名を印字したことにより、スタンドを用いて通信機器を縦型に設置した場合に底面を覗き込まなくてもコネクタ名を確認することができ、上記半透明のスタンドとの組み合わせにより、どのコネクタが接続されているかを非常に分かりやすく確認することができる。
【発明を実施するための最良の形態】
【００１４】
図１はこの発明の実施形態であるルータの外観図であり、同ルータの正面図、右側面図、背面図および底面図を表している。
図２は同ルータのスタンドを外した状態を示す外観図であり、同ルータの右側面図および底面図を示している。
【００１５】
図３は、同ルータのスタンドの前面側および背面側の一部斜視図である。
【００１６】
図４は、同ルータの内部構造を示す図であり、同図（Ａ）は右側面から内部を透視した図、同図（Ｂ）は前面付近の正面断面図（Ｙ１−Ｙ１断面図：図１参照）、同図（Ｃ）は背面付近の正面断面図（Ｙ２−Ｙ２断面図）である。このうち、正面断面図は、筐体本体とスタンドを分離した状態を示している。
【００１７】
このルータの筐体１は、グレースモークの半透明樹脂からなる右側筐体１１、不透明の黒色ＡＢＳ樹脂からなる左側筐体１２を組み合わせて構成された筐体本体２、および、グレースモークの半透明樹脂からなるスタンド１０で構成されている。
【００１８】
図１の正面図において、筐体本体の幅（正面から観察したときの側面方向の長さ）は、右側筐体１１が左側筐体１２よりも十分に長く、このため正面および右側からみたとき、内部が半透明に透けて見えるようになっている。ただし、背面パネル２ｃは、左側筐体１２が幅を延長して形成されている。
【００１９】
上記のように右側筐体１１およびスタンド１０は半透明であるため、内部の配線基板やコネクタが透けて見えているが、図１では筐体の形状を説明するために内部の構造は図示していない。右側筐体１１および左側筐体１２からなる筐体本体２は、回路基板等が収納され幅が広い収納部２ａおよび収納部の周囲（正面、上面、背面）を取り囲むように形成された幅の狭いフレーム部２ｂからなっている。フレーム部２ｂは、収納部２ａの正面および背面において、収納部２ａよりも下に伸びる脚部が形成されており、この脚部にスタンド１０が係止されている。
【００２０】
このルータは、筐体の幅に比べて高さが十分に高い縦置型であり、縦置の状態で安定するように、スタンド１０は、下になるほど幅広に、すなわち正面から観察したとき略台形になるように形成されている。
【００２１】
背面図において、背面パネル２ｃには、電源ジャック（ＤＣ−ｉｎ）２０、ＤＳＵオン／オフスイッチ２１等が設けられている。
【００２２】
また、図２に示すスタンド１０を取り外した外観図において、筐体本体２（収納部２ａ）の底面には、複数（９個）のコネクタが、下向きに設けられている。各コネクタは、前面側からそれぞれ４個のＬＡＮコネクタ２２、ＷＡＮコネクタ２３、ＩＳＤＮ＿Ｓ／Ｔ点コネクタ２４、ＩＳＤＮ＿Ｕ点コネクタ２５、２個のアナログ電話コネクタ２６である。また、筐体本体２の底面には、さらに、ＩＳＤＮ＿Ｓ／Ｔ点コネクタ２４に終端抵抗を接続して終端処理をするためのターミネートスイッチ２７およびＩＳＤＮ＿Ｕ点コネクタ２５の入力信号を反転するリバーススイッチ２８も設けられている。
【００２３】
ケーブル類のコネクタのうち、電源ジャック２０のみ筐体本体２の底面に設けずに背面に設けたのは、機器が暴走した場合など電源を抜き差しする必要がある場合があるため筐体底面に設けてスタンド１０の内部に収納しないようにしたこと、および、電源アダプタから引き出されるＤＣケーブルは線が細く軽量で、ＬＡＮケーブルや電話用モジュラケーブルに比べて機器の安定を害する程度が低いためである。
【００２４】
図２において、筐体本体２のフレーム部２ｂの正面側の脚部は床面まで形成されており、背面側の脚部は、正面側よりも短く形成されている。背面側の脚部の下にはスタンド１０の開口部３が形成され、前記筐体本体２の底面に設けられているコネクタ２２〜２６に接続されたケーブル４が、この開口部３を介して束ねて背面方向に引き出される。
【００２５】
スタンド１０と筐体本体２（フレーム部２ｂ）とは、スタンド１０に設けられている凸部１０ａ、１０ｂとフレーム部２ｂの脚部に設けられている凹部２ｄ、２ｅとを係合させることによって、取り付け固定される。
【００２６】
図２に示すように、フレーム部２ｂの正面側、背面側の脚部の側面には、前記スタンド１０の凸部１０ａ、１０ｂと係合する凹部２ｄ、２ｅが形成されている。また、図３に示すように、スタンド１０の内壁には凸部１０ａ、１０ｂが形成されている。
【００２７】
ここで、図３を参照してスタンドの構成について説明する。図３（Ａ）はスタンド１０の背面側の一部斜視図である。また、図３（Ｂ）はスタンド１０の正面側の一部斜視図である。スタンド１０は、中央部に形成されたＵ字形の溝部１００、溝部の両側に形成され下ほど幅広に形成されている台部１０１、および、台部１０１の上に立設され、その上端が筐体本体２の底面に当接する壁部１０２からなっている。
【００２８】
同図（Ａ）において、スタンド１０の背面側においては、Ｕ字形の溝部１００が台部１０１よりも延長され、この延長された溝部１００とフレーム部２ｂの端面とで開口部３が形成される。
【００２９】
一方、同図（Ｂ）において、スタンド１０の前面側においては、台部１０１が溝部１００よりも延長して形成され、スタンド１０をフレーム部２ｂに取り付けたとき、フレーム部２ｂの正面側の脚部が正面側から当接して、前記溝部１００の正面側端部を塞ぐようになっている。
【００３０】
溝部１００は、スタンド１０内部において上面が開放されて前記コネクタ２２〜２６に接続されたケーブル４を受け入れ可能になっており、コネクタ２２〜２６に接続したケーブル４を溝部１００に収納したのち、このスタンドをフレーム部２ｂに取り付けると、そのケーブル４は、背面の開口部３から外部に引き出される。このとき、溝部１００の正面側はフレーム部２ｂの脚部で塞がれているため、正面から観察したときケーブル４が見えることはない。
【００３１】
なお、この図において、溝部１００および台部１０１の内側面のハッチングで示した部分が、スタンド１０をフレーム部２ｂに取り付けたときフレーム部２ｂと重なり合う部分である。上述した凸部１０ａ、１０ｂは、このフレーム部２ｂと重なり合う部分の前記凹部と対向する位置に形成されている。
凸部１０ａ、１０ｂの周囲は舌状に切り込まれ、面に垂直な方向に弾性変形が可能にされている。これにより、スタンド１０をフレーム部２ｂに取り付けるとき、凸部１０ａ、１０ｂがフレーム部２ｂに引っかかることなく、凹部２ｄ、２ｅと係合する位置まではめ込むことができる。
【００３２】
次に図４を参照して筐体本体２の内部について説明する。同図において、筐体１の内部にはプリント基板５がスペーサを介してビス固定されており、このプリント基板５の底面側エッジに前記コネクタ２２〜２６およびスイッチ２７、２８が実装され、背面側のエッジにＤＳＵオン／オフスイッチ２１および電源ジャック２０等が実装されている。
【００３３】
また、プリント基板５の正面側エッジにはインジケータである複数のＬＥＤ２９が実装されている。上述したように、筐体本体２の右側筐体１１は半透明樹脂で形成されているため、このＬＥＤ２９の点灯は右側筐体１１を通して外部から確認することができる。
【００３４】
この実施形態のルータは、以下のような効果を有するものである。
ケーブル４は下向きに伸びてスタンド１０の溝部１００の底面に着地するため、宙に浮いている距離が短く、その方向が真下向きであるため、宙に浮いているケーブル４の重量で機器が引っ張られることがない。
【００３５】
そして、ケーブル４はスタンド１０の内壁底面に着地し、底面に沿って開口部まで導かれるため、ケーブル４の重量がスタンド１０に掛かり、通信機器がその重量で安定し移動しにくくなる。
【００３６】
ケーブル４をスタンド１０外に取り出す開口部３は、ケーブル４を束ねる程度の開口面積であるため、開口部３から取り出されたケーブル４は束ねられて床面の高さに引き出されるようになり、ケーブル４の整列が楽になってデスク周辺が片づくとともに、ケーブル４の重量が通信機器にかからないため通信機器が転倒しにくくなる。
【図面の簡単な説明】
【００３７】
【図１】この発明の実施形態であるルータの外観図
【図２】同ルータのスタンドを外した状態を示す外観図
【図３】同ルータのスタンドの一部斜視図
【図４】同ルータの内部構造を示す図
【符号の説明】
【００３８】
１…筐体、２…筐体本体、２ａ…収納部、２ｂ…フレーム部、２ｃ…背面パネル、２ｄ，２ｅ…凹部、
３…開口部、４…ケーブル、５…配線基板、
１０…スタンド、１０ａ，１０ｂ…凸部、１１…右側筐体、１２…左側筐体
２０…電源ジャック、２１…ＤＳＵオン／オフスイッチ、
２２…ＬＡＮコネクタ、２３…ＷＡＮコネクタ、２４…ＩＳＤＮ＿Ｓ／Ｔ点コネクタ、２５…ＩＳＤＮ＿Ｕ点コネクタ、２６…アナログ電話コネクタ、
１００…溝部、１０１…台部、１０２…壁部
【図１】
2005039190.tif 000003
【図２】
2005039190.tif 000004
【図３】
2005039190.tif 000005
【図４】
2005039190.tif 000006